【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
少なくとも１つの発光ダイオードと、
チョークコイルと、
前記発光ダイオードへの電流の印加/非印加を決定するスイッチング素子と、前記スイッチング素子のオン/オフのタイミングを制御して前記発光ダイオードに流れる電流を制御する制御回路ブロックとを備えたスイッチング駆動回路と、
を有し、
前記発光ダイオードと前記スイッチング駆動回路との間に前記チョークコイルを接続することを特徴とする発光ダイオード駆動装置。
【請求項２】
前記チョークコイルに発生する逆起電力を前記発光ダイオードに供給する整流ダイオードを更に有することを特徴とする請求項１に記載の発光ダイオード駆動装置。
【請求項３】
前記発光ダイオードは、アノード端子を電圧源に接続され、
前記チョークコイルは、一端を前記発光ダイオードのカソード端子に接続され、
前記整流ダイオードは、アノード端子を前記チョークコイルの他端に接続され、カソード端子を前記発光ダイオードのアノード端子に接続され、
前記スイッチング駆動回路は、前記チョークコイルの他端と基準電位との間に接続される、
ことを特徴とする請求項２に記載の発光ダイオード駆動装置。
【請求項４】
前記発光ダイオードは、カソード端子を基準電位に接続され、
前記チョークコイルは、一端を前記発光ダイオードのアノード端子に接続され、
前記整流ダイオードは、カソード端子を前記チョークコイルの他端に接続され、アノード端子を前記発光ダイオードのカソード端子に接続され、
前記スイッチング駆動回路は、電圧源と前記チョークコイルの他端との間に接続される、
ことを特徴とする請求項２に記載の発光ダイオード駆動装置。
【請求項５】
前記発光ダイオードを静電気破壊から保護する素子を、前記発光ダイオードと並列に前記発光ダイオードの両端子に接続することを特徴とする請求項１に記載の発光ダイオード駆動装置。
【請求項６】
前記発光ダイオードは、発光素子とコンデンサが並列接続されて構成されることを特徴とする請求項１に記載の発光ダイオード駆動装置。
【請求項７】
前記発光ダイオードは、発光素子と、前記発光素子のアノード端子とカソード端子との間に逆並列接続されたツェナーダイオードとで構成されることを特徴とする請求項１に記載の発光ダイオード駆動装置。
【請求項８】
電圧源が交流電圧を出力する交流電源の場合は、前記交流電圧を整流する整流回路を更に有する請求項１に記載の発光ダイオード駆動装置。
【請求項９】
前記制御回路ブロックは、
前記整流回路に一端を接続された定電流源と、
前記定電流源の他端に接続され、前記定電流源の出力電圧が所定値以上であれば起動信号を出力し、前記定電流源の出力電圧が所定値未満であれば停止信号を出力するレギュレータと、
前記スイッチング素子に流れる電流を検出する電流検出回路と、
前記発光ダイオードに流れる電流が一定になるように、前記電流検出回路の出力信号に基づいて前記スイッチング素子を所定の発振周波数で断続的にオン／オフ制御する制御回路と、
前記レギュレータからの起動信号及び停止信号に基づいて、前記制御回路の起動と停止を制御する起動／停止回路と、
を有することを特徴とする請求項８に記載の発光ダイオード駆動装置。
【請求項１０】
前記レギュレータに一端を接続され、他端を前記整流回路の基準電位又は前記チョークコイルに接続されたコンデンサを更に有することを特徴とする請求項９に記載の発光ダイオード駆動装置。
【請求項１１】
前記整流回路から出力された電圧を検出し、検出した電圧を所定値と比較することにより、前記発光ダイオードの発光または消光を制御する発光信号又は消光信号を前記起動／停止回路に出力する入力電圧検出回路を更に有し、
前記起動／停止回路は、前記レギュレータが停止信号を出力している場合は前記停止信号を前記制御回路に出力し、前記レギュレータが起動信号を出力している場合は、前記入力電圧検出回路の発光信号又は消光信号を前記制御回路に出力することを特徴とする請求項９に記載の発光ダイオード駆動装置。
【請求項１２】
前記入力電圧検出回路は、前記整流回路の出力電圧が直接又は前記整流回路と前記入力電圧検出回路の間に挿入された抵抗を介して印加される、直列に接続された複数の抵抗と、
前記複数の抵抗によって分圧された直流電圧をプラス入力端子に入力され、基準となる入力基準電圧をマイナス入力端子に入力されるコンパレータと、
を有することを特徴とする請求項１１に記載の発光ダイオード駆動装置。
【請求項１３】
前記入力電圧検出回路は、前記整流回路の出力電圧が直接又は前記整流回路と前記入力電圧検出回路の間に挿入された抵抗を介して印加され、第１の分圧電圧及び前記第１の分圧電圧よりも低い第２の分圧電圧を出力する複数の抵抗と、
前記第１の分圧電圧をプラス入力端子に入力し、基準となる入力基準電圧をマイナス入力端子に入力する第１のコンパレータと、
前記第２の分圧電圧をマイナス入力端子に入力し、前記入力基準電圧をプラス入力端子に入力する第２のコンパレータと、
前記第１及び第２のコンパレータの出力信号を入力するＡＮＤ回路と、
を有することを特徴とする請求項１１に記載の発光ダイオード駆動装置。
【請求項１４】
前記電流検出回路は、前記スイッチング素子のオン電圧を基準となる検出基準電圧と比較することにより前記スイッチング素子に流れる電流を検出することを特徴とする請求項９に記載の発光ダイオード駆動装置。
【請求項１５】
前記スイッチング駆動回路は、
前記チョークコイルと前記スイッチング素子との接続点に一端を接続され、前記制御回路から前記スイッチング素子と同一の制御をされてスイッチング動作し、前記スイッチング素子に流れる電流よりも小さく、且つ前記スイッチング素子に流れる電流に対して一定の電流比の電流が流れる他のスイッチング素子と、
前記他のスイッチング素子の他端と基準電位との間に直列接続された抵抗と、
を更に有し、
前記電流検出回路は、前記抵抗の両端電圧を基準となる検出基準電圧と比較することにより前記スイッチング素子の電流を検出することを特徴とする請求項９に記載の発光ダイオード駆動装置。
【請求項１６】
前記スイッチング駆動回路は、前記電流検出回路に接続された外部検出端子を更に有し、前記外部検出端子に入力される前記検出基準電圧の値を変えることにより、前記スイッチング素子の断続的なオン・オフ制御におけるオン期間を変えて、前記発光ダイオードに流れる定電流レベルを調整することを特徴とする請求項１４又は請求項１５に記載の発光ダイオード駆動装置。
【請求項１７】
前記検出基準電圧を入力される外部検出端子と前記電流検出回路との間にソフトスタート回路を接続し、
前記ソフトスタート回路は、前記起動／停止回路から発光信号を入力すると、前記検出基準電圧を一定値に至るまで徐々に増加するように出力することを特徴とする請求項１６に記載の発光ダイオード駆動装置。
【手続補正２】
【補正対象書類名】明細書
【補正対象項目名】００１４
【補正方法】変更
【補正の内容】
【００１４】
前記制御回路ブロックは、前記整流回路に一端を接続された定電流源と、前記定電流源の他端に接続され、前記定電流源の出力電圧が所定値以上であれば起動信号を出力し、前記定電流源の出力電圧が所定値以下であれば停止信号を出力するレギュレータと、前記スイッチング素子に流れる電流を検出する電流検出回路と、前記発光ダイオードに流れる電流が一定になるように、前記電流検出回路の出力信号に基づいて前記スイッチング素子を所定の発振周波数で断続的にオン／オフ制御する制御回路と、前記レギュレータからの起動信号及び停止信号に基づいて、前記制御回路の起動と停止を制御する起動／停止回路と、を有しても良い。
【手続補正３】
【補正対象書類名】明細書
【補正対象項目名】００１８
【補正方法】変更
【補正の内容】
【００１８】
前記制御回路ブロックは、前記整流回路から出力された電圧を検出し、検出した電圧を所定値と比較することにより、前記発光ダイオードの発光または消光を制御する発光信号又は消光信号を前記起動／停止回路に出力する入力電圧検出回路を更に有し、前記起動／停止回路は、前記レギュレータが停止信号を出力している場合は前記停止信号を前記制御回路に出力し、前記レギュレータが起動信号を出力している場合は、前記入力電圧検出回路の発光信号又は消光信号を前記制御回路に出力しても良い。
前記入力電圧検出回路は、前記整流回路の出力電圧が直接又は前記整流回路と前記入力電圧検出回路の間に挿入された抵抗を介して印加される、直列に接続された複数の抵抗と、前記複数の抵抗によって分圧された直流電圧をプラス入力端子に入力され、基準となる入力基準電圧をマイナス入力端子に入力されるコンパレータと、を有しても良い。以上のような構成にすることにより、交流電源の周波数の倍周期中（一般商用電源を使用した場合は１００Ｈｚ／１２０Ｈｚ）で、発光ダイオードを発光させる期間と消光させる期間を正確に規定できる。また、整流回路と入力電圧検出回路の間に挿入された抵抗の抵抗値を変更することにより、整流回路の出力する電圧の変化に対して、スイッチング素子のオン／オフ制御が可能となる電圧レベルを任意に設定できる。これにより安全で複雑な光度調整が可能な、電力変換効率の高い発光ダイオード駆動装置を実現できる。
【手続補正４】
【補正対象書類名】図面
【補正対象項目名】図２
【補正方法】変更
【補正の内容】
【図２】
2007194478.tif 000001